(57)【要約】【課題】天窓の交換に要する時間を短縮できる天窓の支持構造、および、天窓の交換方法を提供する。【解決手段】天窓の支持構造１０は屋根１００に設けられる開口１１０Ａに取り付けられる天窓枠２０と、天窓９０を支持する支持面３１ＡＸを含み、開口１１０Ａが閉鎖されないように少なくとも天窓枠２０の天面２０Ａを覆うカバー３０とを備える。【選択図】図２
2019210632.tif 000002
【特許請求の範囲】
【請求項１】
屋根の開口に設けられる天窓枠と、
天窓を支持する支持面を含み、前記開口が閉鎖されないように少なくとも前記天窓枠の天面を覆うカバーとを備える
天窓の支持構造。
【請求項２】
前記カバーは前記支持面を含む支持壁と、前記開口における内外方向の少なくともいずれか一方に位置し、前記支持壁と繋がる側壁とを備える
請求項１に記載の天窓の支持構造。
【請求項３】
屋根の開口に設けられる天窓枠に取り付けられている天窓を前記天窓枠から取り外す解体工程と、
天窓を支持する支持面を含み、前記開口が閉鎖されないように少なくとも前記天窓枠の天面を覆うカバーを前記天窓が取り外された前記天窓枠に取り付けるカバー取り付け工程と、
前記支持面に新しい天窓を取り付ける天窓取り付け工程とを含む
天窓の交換方法。
【発明の詳細な説明】
【技術分野】
【０００１】
本発明は天窓の支持構造、および、天窓の交換方法に関する。
【背景技術】
【０００２】
建築物の屋根に設けられる天窓の支持構造が知られている。例えば、特許文献１では、取付用開口部(２)に設けられる取付用枠(３)、および、取付用枠(３)内において取付用枠(３)と採光窓本体(２０)とを連結するビス(１４)を含む天窓の支持構造を開示している。
【先行技術文献】
【特許文献】
【０００３】
【特許文献１】特開２００３−１１９９７４号公報
【発明の概要】
【発明が解決しようとする課題】
【０００４】
天窓の交換に要する時間を短縮できることが好ましい。上記天窓の支持構造では、例えば、取付用枠(３)と異なる大きさの採光窓本体(２０)を屋根に取り付ける場合、取付用枠(３)を取付用開口部(２)から外して取付用開口部(２)の大きさを変更する工事が必要となる。このため、天窓の交換に要する時間の短縮という点において改善の余地があると考えられる。
【課題を解決するための手段】
【０００５】
(１)本発明に関する天窓の支持構造は屋根の開口に設けられる天窓枠と、天窓を支持する支持面を含み、前記開口が閉鎖されないように少なくとも前記天窓枠の天面を覆うカバーとを備える。
上記天窓の支持構造によれば、支持面の広さに応じて多様な大きさの天窓を支持できる。このため、既存の開口および天窓枠を残した状態でカバーを天窓枠に取り付けることによって、多様な大きさの天窓を容易に屋根に取り付けることができる。このため、天窓の交換に要する時間を短縮できる。
【０００６】
(２)好ましい例では(１)に記載の天窓の支持構造において、前記カバーは前記支持面を含む支持壁と、前記開口における内外方向の少なくともいずれか一方に位置し、前記支持壁と繋がる側壁とを備える。
このため、既存の天窓枠の広い範囲を保護できる。
【０００７】
(３)本発明に関する天窓の交換方法は屋根の開口に設けられる天窓枠に取り付けられている天窓を前記天窓枠から取り外す解体工程と、天窓を支持する支持面を含み、前記開口が閉鎖されないように少なくとも前記天窓枠の天面を覆うカバーを前記天窓が取り外された前記天窓枠に取り付けるカバー取り付け工程と、前記支持面に新しい天窓を取り付ける天窓取り付け工程とを含む上記天窓の交換方法によれば、(１)に記載の天窓の支持構造により得られる効果と同様の効果が得られる。
【発明の効果】
【０００８】
本発明に関する天窓の支持構造および天窓の交換方法によれば、天窓の交換に要する時間を短縮できる。
【図面の簡単な説明】
【０００９】
【図１】実施形態の天窓の支持構造、および、天窓の分解斜視図。
【図２】図１のＤ２−Ｄ２線に沿う断面図。
【図３】天窓の交換方法の第１工程に関する図。
【図４】天窓の交換方法の第２工程に関する図。
【図５】天窓の交換方法の第３工程に関する図。
【図６】天窓の交換方法の第３工程に関する図。
【図７】天窓の交換方法の第４工程および第５工程に関する図。
【図８】天窓の交換方法の第６工程に関する図。
【発明を実施するための形態】
【００１０】
(実施形態)
図１を参照して、天窓の支持構造１０(以下「支持構造１０」)について説明する。支持構造１０は屋根１００の野地板１１０に形成される開口１１０Ａに設けられる。開口１１０Ａの形状は任意に選択可能である。一例では、開口１１０Ａは長方形状である。野地板１１０は垂木(図示略)に取り付けられる。野地板１１０には複数の瓦１２０が取り付けられる。野地板１１０のうちの開口１１０Ａの周囲には、天窓９０の水切りシート２００等が配置されるスペース３００が設けられる。スペース３００には、瓦１２０が配置されていない。なお、別の例では、野地板１１０には、瓦１２０に代えてコロニアルまたはガルバニウム鋼板が設けられる。
【００１１】
天窓９０は例えば、透光パネル９１Ａ、および、透光パネル９１Ａを支持するフレーム９１Ｂを備える。一般的な天窓の交換工事においては、古い天窓が天窓枠２０から取り外され、新しい天窓が天窓枠２０に取り付けられる。ただし、天窓の大きさは製造業者ごとによって多種多様である。このため、例えば、生産中止等の理由により、古い天窓と異なる大きさの新しい天窓しか入手できない場合、天窓の交換工事においては、古い天窓枠２０が開口１１０Ａから取り外され、入手できた新しい天窓の大きさに応じた開口１１０Ａを野地板１１０に新たに形成する工事が行なわれる。さらに、新しく形成された開口１１０Ａに応じた新しい天窓枠２０が開口１１０Ａに取り付けられる。このように、従来の天窓の支持構造では、天窓の交換工事の工程が複雑となるため、天窓の交換に要する時間が長くなる。支持構造１０は天窓９０の交換に要する時間を短縮できるように、既存の天窓枠２０および開口１１０Ａを利用して多様な大きさの天窓９０を取り付けることができる構造である。
【００１２】
支持構造１０を構成する主な要素は天窓枠２０、カバー３０、コーキング保護部材４０、スペーサ５０(図２参照)、および、化粧額縁６０(図２参照)である。天窓枠２０は開口１１０Ａに設けられる。天窓枠２０は内装仕上材８０(図２参照)によって支持される。天窓枠２０の外郭形状は開口１１０Ａの形状に応じて任意に選択可能である。図１等に示される例では、天窓枠２０は平面視において長方形状である。天窓枠２０を構成する材料は任意に選択可能である。一例では、天窓枠２０を構成する材料は木である。天窓枠２０は野地板１１０の表面１１０Ｂから上方に突出するように開口１１０Ａに設けられる。天窓枠２０は一対の長枠２１Ａ、２１Ｂおよび一対の短枠２２Ａ、２２Ｂを備える。一対の長枠２１Ａ、２１Ｂおよび一対の短枠２２Ａ、２２Ｂは一体的に形成される。短枠２２Ａは短枠２２Ｂよりも屋根１００の棟(図示略)に近い位置に設けられる。
【００１３】
カバー３０は開口１１０Ａが閉鎖されないように天窓枠２０を覆う。カバー３０を構成する材料は任意に選択可能である。好ましい例では、カバー３０は耐食性に優れている材料により構成される。その一例はアルミニウムまたはステンレスである。カバー３０の外郭形状は天窓枠２０の形状に応じて任意に選択可能である。一例では、カバー３０の形状は平面視において長方形状である。
【００１４】
図２に示されるように、カバー３０は天窓９０を支持する支持面３１ＡＸを含み、開口１１０Ａが閉鎖されないように少なくとも天窓枠２０の天面２０Ａを覆う。カバー３０を構成する主な要素は第１部材３１、第２部材３２、および、断熱材３３である。第１部材３１と第２部材３２とは断熱材３３を介して結合している。第１部材３１と第２部材３２との結合手段は任意に選択可能である。一例では、第１部材３１と第２部材３２との結合手段はねじである。図１に示されるように、カバー３０は一対の長枠３０Ａ、３０Ｂおよび一対の短枠３０Ｃ、３０Ｄを含む。一対の長枠３０Ａ、３０Ｂは天窓枠２０の一対の長枠２１Ａ、２１Ｂを覆う。一対の短枠３０Ｃ、３０Ｄは天窓枠２０の一対の短枠２２Ａ、２２Ｂを覆う。
【００１５】
第１部材３１は第１壁部３１Ａ、第２壁部３１Ｂ、第３壁部３１Ｃ、および、第４壁部３１Ｄを含む。第１部材３１は例えば、１枚の板が折り曲げられることにより構成される。第１壁部３１Ａは天窓枠２０の天面２０Ａと平行に設けられる。第１壁部３１Ａは支持壁に相当する。第１壁部３１Ａは天窓９０を支持する支持面３１ＡＸを含む。支持面３１ＡＸは天窓９０のフレーム９１Ｂを支持する。支持面３１ＡＸは天面２０Ａを跨ぐように設けられる。このような第１部材３１を設けることにより、天窓枠２０よりも大きい天窓９０、および、天窓枠２０よりも小さい天窓９０をカバー３０に取り付けることができるため、多様な大きさの天窓９０を屋根１００に設置できる。支持面３１ＡＸの幅方向の長さＬＡは天面２０Ａの幅方向の長さＬＢよりも長い。
【００１６】
長さＬＡは採光を阻害しない範囲で任意に選択可能である。好ましい例では、長さＬＡは支持する天窓９０の大きさと、スペース３００との関係に基づいて決められる。長さＬＡの最大値の一例は１４０ｍｍである。長さＬＡが１４０ｍｍ以下の場合、既存のスペース３００にカバー３０を配置できる。長さＬＡの最小値の一例は１００ｍｍである。長さＬＡが１００ｍｍ以上の場合、大きいサイズの天窓９０を支持できる。長さＬＡの好ましい一例は１２０ｍｍである。第１壁部３１Ａとフレーム９１Ｂとの結合手段は任意に選択可能である。図２等に示される第１例では、第１壁部３１Ａとフレーム９１Ｂとの結合手段はねじである。第２例では、第１壁部３１Ａとフレーム９１Ｂとの結合手段は溶接である。第１壁部３１Ａの一方の端部３１ＡＡはスペース３００に位置する。
【００１７】
第２壁部３１Ｂは第１壁部３１Ａと繋がり、野地板１１０の表面１１０Ｂ側に向けて延びる。第２壁部３１Ｂは天窓枠２０の外面２０Ｂと平行に設けられる。第２壁部３１Ｂはスペース３００に位置する。開口１１０Ａの深さ方向における第２壁部３１Ｂの長さＬＣは天窓枠２０のうちの開口１１０Ａの深さ方向における開口１１０Ａから突出している部分の長さＬＤよりも短い。第３壁部３１Ｃは第２壁部３１Ｂと繋がり、開口１１０Ａの内側方向に向けて延びる。第３壁部３１Ｃは第１壁部３１Ａと平行に設けられる。第３壁部３１Ｃはスペース３００に位置する。第３壁部３１Ｃの幅方向の長さＬＥは長さＬＡよりも短い。第４壁部３１Ｄは第３壁部３１Ｃと繋がり、野地板１１０側の表面１１０Ｂ側に向けて延びる。第４壁部３１Ｄは第２壁部３１Ｂと平行に設けられる。第４壁部３１Ｄはスペース３００に位置する。開口１１０Ａの深さ方向における第４壁部３１Ｄの長さＬＦは長さＬＣよりも短い。第４壁部３１Ｄの端部と野地板１１０とには隙間が形成される。
【００１８】
第２部材３２は第１壁部３２Ａ、第２壁部３２Ｂ、第３壁部３２Ｃ、および、第４壁部３２Ｄを含む。第２部材３２は例えば、１枚の板が折り曲げられることにより構成される。第１壁部３２Ａは第１壁部３１Ａと平行に設けられる。第１壁部３２Ａの幅方向の長さＬＧは長さＬＡよりも短い。第２壁部３２Ｂは第１壁部３２Ａと繋がり、野地板１１０側の表面１１０Ｂ側に向けて延びる。第２壁部３２Ｂは天窓枠２０の第２壁部３１Ｂおよび第４壁部３１Ｄと平行に設けられる。第２壁部３２Ｂは側壁に相当する。開口１１０Ａの深さ方向における第２壁部３２Ｂの長さＬＨは長さＬＤよりも長い。第２壁部３１Ｂと天窓枠２０の内面２０Ｃとの間に隙間３４が形成される。このため、カバー３０を天窓枠２０に容易に被せることができる。第３壁部３２Ｃは第２壁部３２Ｂと繋がり、開口１１０Ａの外側方向に向けて延びる。第３壁部３２Ｃは第１壁部３２Ａと平行に設けられる。第３壁部３２Ｃの幅方向の長さＬＩは長さＬＧよりも長い。第４壁部３２Ｄは第３壁部３２Ｃと繋がり、野地板１１０側の下方側に向けて延びる。第４壁部３２Ｄは第２壁部３２Ｂと平行に設けられる。開口１１０Ａの深さ方向における第４壁部３２Ｄの長さＬＪは長さＬＨよりも短い。第４壁部３２Ｄは天窓枠２０よりも下方に位置している。
【００１９】
断熱材３３は第１壁部３１Ａの他方の端部３１ＡＢと第１壁部３２Ａとの間に配置される。このため、結露の発生を抑制できる。断熱材３３の一例は硬質ウレタンフォームである。断熱材３３は例えば、カバー３０の全周にわたり配置される。
【００２０】
コーキング保護部材４０はコーキング剤７０を太陽光から保護するためにカバー３０に取り付けられる。コーキング剤７０はカバー３０が天窓枠２０を覆った状態において、第４壁部３１Ｄと野地板１１０との隙間を埋めるように設けられる。カバー３０に取り付けられるコーキング保護部材４０はコーキング剤７０を覆うように設けられていれば、その設置数は任意に選択可能である。図１等に示される例では、３つのコーキング保護部材４０がカバー３０に取り付けられる。３つのコーキング保護部材４０はカバー３０の一対の長枠３０Ａ、３０Ｂ、および、短枠３０Ｃにおける第２壁部３１Ｂと結合される。コーキング保護部材４０と第２壁部３１Ｂとの結合手段は任意に選択可能である。一例では、コーキング保護部材４０と第２壁部３１Ｂとの結合手段はねじである。これにより、コーキング保護部材４０と瓦１２０との間隙を微小にすることができ、太陽光によるコーキング剤７０の劣化を抑制することができる。
【００２１】
スペーサ５０は天窓枠２０の内面２０Ｃとカバー３０の第２壁部３２Ｂとの隙間３４を埋めるように配置される。このため、カバー３０の位置が安定する。スペーサ５０を構成する材料は任意に選択可能である。一例では、スペーサ５０を構成する材料は木である。スペーサ５０の形状は任意に選択可能である。図２等に示される第１例では、スペーサ５０の形状は立方体である。第２例ではスペーサ５０の形状は直方体である。隙間３４に配置されるスペーサ５０の数は任意に選択可能である。スペーサ５０は天窓枠２０の内面２０Ｃに沿って所定の間隔をあけて複数配置される。スペーサ５０は天窓枠２０および第２壁部３２Ｂと結合される。スペーサ５０と天窓枠２０および第２壁部３２Ｂとの結合手段は任意に選択可能である。一例では、スペーサ５０と天窓枠２０および第２壁部３２Ｂとの結合手段はねじである。
【００２２】
化粧額縁６０は第４壁部３２Ｄと内装仕上材８０との隙間を埋めるように設けられる。このため、室内から見た支持構造１０の美観が高められる。化粧額縁６０を構成する材料は任意に選択可能である。一例では、化粧額縁６０を構成する材料は木材またはＭＤＦ(Medium Density Fiberboard)材である。化粧額縁６０は第４壁部３２Ｄおよび内装仕上材８０に結合される。化粧額縁６０と第４壁部３２Ｄおよび内装仕上材８０との結合手段は任意に選択可能である。一例では、化粧額縁６０と第４壁部３２Ｄおよび内装仕上材８０との結合手段はねじである。また、化粧額縁６０の仕上げについては支持構造１０における美観の観点から、内装仕上材８０と同様にすることが望ましい。
【００２３】
図３〜図８を参照して、天窓の交換方法の一例について説明する。天窓の交換方法は第１工程〜第８工程を含む。第１工程は解体工程の一例である。第３工程はカバー取り付け工程の一例である。第６工程は天窓取り付け工程の一例である。なお、以下では、例えば、従来技術のように天窓枠２０内において、ねじ等によって天窓枠２０に固定されている古い天窓９２を新しい天窓９０に交換する場合を例に説明する。
【００２４】
図３に示されるように、第１工程では、古い天窓９２が天窓枠２０から取り外される。古い天窓９２が電動開閉式である場合、古い天窓９２を駆動するモータ等を含む駆動機構も取り外される。図４に示されるように、第２工程では、天窓枠２０の内面２０Ｃに複数のスペーサ５０が結合される。図５および図６に示されるように、第３工程では、カバー３０が天窓枠２０に被せられ、スペーサ５０とカバー３０の第２壁部３２Ｂとが結合される。また、天窓枠２０とカバー３０の第１壁部３１Ａとが結合される。図７に示されるように、第４工程では、カバー３０の第４壁部３１Ｄと野地板１１０との隙間にコーキング剤７０が塗布される。第５工程では、カバー３０の第２壁部３１Ｂにコーキング保護部材４０が結合される。図８に示されるように、第６工程では、カバー３０の第１壁部３１Ａと新しい天窓９０のフレーム９１Ｂとが結合される。第７工程では、カバー３０の第４壁部３２Ｄと内装仕上材８０との間に化粧額縁６０(図２参照)が配置される。第８工程では、化粧額縁６０と第４壁部３２Ｄおよび内装仕上材８０とが結合される。
【００２５】
支持構造１０によれば、次のような作用および効果が得られる。
支持構造１０によれば、支持面３１ＡＸの広さに応じて多様な大きさの天窓９０を支持できる。このため、既存の開口１１０Ａおよび天窓枠２０を残した状態でカバー３０を天窓枠２０に取り付けることによって、多様な大きさの天窓９０を容易に屋根１００に設けることができる。このため、天窓９０の交換に要する時間を短縮できる。また、開口１１０Ａの周囲に形成されるスペース３００を利用してカバー３０を配置することができる。このため、カバー３０を配置するために瓦１２０の一部を除去する等の追加の工事を行なうことなく、新しい天窓９０を屋根１００に設けることができる。また、既設の天窓枠２０を取り外す等の作業を行うことなく、天窓枠２０をカバー３０で覆い、さらにコーキング保護部材４０を設けるため、天窓９０の交換作業を行うことによる雨漏れが懸念されることもない。
【００２６】
(変形例)
なお、上記実施形態は本発明に関する天窓の支持構造および天窓の交換方法が取り得る形態の例示であり、その形態を制限することを意図していない。本発明に関する天窓の支持構造および天窓の交換方法は上記実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００２７】
・カバー３０の構成は任意に変更可能である。第１変形例のカバー３０は支持面３１ＡＸを含む支持壁と、開口１１０Ａにおける内外方向の少なくともいずれか一方に位置し、支持壁と繋がる側壁とを備える。支持壁の一例は第１壁部３１Ａである。側壁の一例は第２壁部３１Ｂおよび第２壁部３２Ｂである。第２変形例のカバー３０は第１部材３１と第２部材３２とが一体的に形成される。第２変形例では、断熱材３３は例えば、カバー３０のいずれかの壁部の内面に取り付けられる。第３変形例のカバー３０は第２壁部３１Ｂおよび第４壁部３１Ｄの少なくとも一方が天窓枠２０と直接的に結合される、または、第２壁部３１Ｂおよび第４壁部３１Ｄの少なくとも一方がスペーサを介して天窓枠２０と結合される。第４変形例のカバー３０は第２壁部３２Ｂおよび第４壁部３２Ｄの少なくとも一方が天窓枠２０と直接的に結合される。第４変形例の場合、スペーサ５０は省略される。
【符号の説明】
【００２８】
１０    ：支持構造(天窓の支持構造)
２０    ：天窓枠
２０Ａ  ：天面
３０    ：カバー
３１Ａ  :第１壁部(支持壁)
３１ＡＸ：支持面
３１Ｂ  ：第２壁部(側壁)
３２Ｂ  ：第２壁部(側壁)
９０    ：天窓
１１０Ａ：開口
【図１】
2019210632.tif 000003
【図２】
2019210632.tif 000004
【図３】
2019210632.tif 000005
【図４】
2019210632.tif 000006
【図５】
2019210632.tif 000007
【図６】
2019210632.tif 000008
【図７】
2019210632.tif 000009
【図８】
2019210632.tif 000010